(57)【要約】【課題】殺菌灯や熱風やオゾンなどの高価で安全性に問題のある手段を用いることなく、微生物やダニを死滅させることのできる掃除機用吸い込みノズルおよびこれを用いた掃除機を提供すること。【解決手段】回転ブラシ４を構成する繊維の素材に対し、銀をメッキさせるとともに、回転ブラシ４が回転する方向に直行する磁束を発生させる磁石８を配列させ、回転ブラシ４と接触する接触プレートと、回転ブラシ４の先端の近傍に接触プレート７と電気的に通じた放電プレート９を配置させ、回転ブラシ４が回転によって磁束を通過する時に生じる誘電起電力が回転ブラシ４と放電プレート９間で放電をおこなわせる。これにより、放電の電撃を用いて、安価で安全に微生物やダニが死滅させることができるようになる。【選択図】図１
2005110966.tif 000002
【特許請求の範囲】
【請求項１】
複数の繊維を有する回転ブラシを備え、前記回転ブラシの一部を構成する前記繊維は、銀、銅、亜鉛のうち少なくとも１種類の金属を表面にメッキさせてなる掃除機用吸い込みノズル。
【請求項２】
回転ブラシの回転方向に略直行する磁束を発生させる磁石と、金属からなる接触プレートと、前記回転ブラシの繊維の近傍かつ接触しない位置に設けられた金属からなる放電プレートとを備え、前記回転ブラシの繊維の一部を前記接触プレートに接触させ、回転ブラシの繊維は電気的に連通され、前記接触プレートと前記放電プレートも電気的に連通された状態で、前記回転ブラシを回転させ、電磁誘導による起電力を発生させて、前記回転ブラシの先端の繊維より前記放電プレートに向けて放電を発生させる請求項１記載の掃除機用吸い込みノズル。
【請求項３】
請求項１または２に記載の掃除機用吸い込みノズルを用いた掃除機。
【発明の詳細な説明】
【技術分野】
【０００１】
本発明は、家庭用の掃除機用吸い込みノズルおよびこれを用いた掃除機に関するものである。
【背景技術】
【０００２】
近来、さまざまな家庭電化製品に対し、除菌、抗菌、防カビ、防虫などの衛生的効果の期待が高まってきている。従来、この種の電気掃除機は、殺菌灯を用いたもの（例えば、特許文献１参照）、熱風を用いたもの（例えば、特許文献２参照）、オゾンを発生するもの（例えば、特許文献３参照）などが提案されている。
【特許文献１】特開平０４−４４８４８号公報
【特許文献２】特開平０１−１５５７７５号公報
【特許文献３】実用新案登録第２０１１２９６号公報
【発明の開示】
【発明が解決しようとする課題】
【０００３】
殺菌灯や熱風やオゾンなどは微生物やダニなどに効果が高いが、それぞれ安価な手段とは言いがたい。また、それぞれ安全性に問題がある。たとえば、殺菌灯は、光が漏れると人の目に危険であるし、熱風は火事その他の危険があるし、オゾンも人体に必ずしも良くない物質である。
【０００４】
本発明は、前記従来の課題を解決するもので、できるだけ安価で安全性の高い手段で、衛生的な掃除機を提供することを目的とする。
【課題を解決するための手段】
【０００５】
前記従来の課題を解決するために本発明の掃除機用吸い込みノズルは、複数の繊維を有する回転ブラシを備え、前記回転ブラシの一部を構成する前記繊維は、銀、銅、亜鉛のうち少なくとも１種類の金属を表面にメッキさせてなるものである。
【０００６】
これにより、回転ブラシに付着した微生物が金属の持つ抗菌作用により不活化され、床面などへ微生物が生きたまま再付着することを防ぐことができ、同時に回転ブラシより微量に剥離した金属が、集塵した塵埃中に混ざり、その塵埃中での微生物の繁殖を抑えることができるので、衛生的な吸い込みノズルを実現できるのである。
【発明の効果】
【０００７】
本発明の掃除機用吸い込みノズルは、回転ブラシを微生物が繁殖しない衛生的な状態に保つことができ、その回転ブラシから床面などへの菌の再付着を防止しできるので、掃除をおこなうことによって、床面がかえって汚れることがなくなる。また、集塵した塵埃から新たに微生物が繁殖する事がないので、その場所から悪臭が発せられることも無く、集塵した塵埃を捨てる時に、生きた微生物が誤って放散されることが無いので衛生上問題なく安心して捨てることができるのである。
【発明を実施するための最良の形態】
【０００８】
第１の発明は、複数の繊維を有する回転ブラシを備え、前記回転ブラシの一部を構成する前記繊維は、銀、銅、亜鉛のうち少なくとも１種類の金属を表面にメッキさせてなるものである。
【０００９】
銀、銅、亜鉛は微生物に対し不活性化させる抗菌能力を持つ金属であり、かつ比較的人体に安全な金属である。これらの金属を回転ブラシの繊維にメッキすることによって、回転ブラシに付着した微生物が金属の持つ抗菌作用により不活化され、床面などへ微生物が生きたまま再付着することを防ぐことができる。同時に回転ブラシより微量に剥離した金属が、集塵した塵埃中に混ざり、その塵埃中での微生物の繁殖を抑えることができるので、衛生的な掃除機を実現できるのである。
【００１０】
第２の発明は、第１の発明に加えて、回転ブラシの回転方向に略直行する磁束を発生させる磁石と、金属からなる接触プレートと、前記回転ブラシの繊維の近傍かつ接触しない位置に設けられた金属からなる放電プレートとを備え、前記回転ブラシの繊維の一部を前記接触プレートに接触させ、回転ブラシの繊維は電気的に連通され、前記接触プレートと前記放電プレートは電気的に連通された状態で、前記回転ブラシを回転させて、電磁誘導による起電力を発生させ、前記回転ブラシの先端の繊維より前記放電プレートに向けて放電を発生させるものである。
【００１１】
回転ブラシの一部を構成する繊維は銀、銅、亜鉛等の金属によってメッキされているので導電性がある。この回転ブラシは回転しながら床面の塵埃を掻き取る構成なので、これらの繊維も回転運動する。そして、繊維の回転方向に対し直行する磁束があるので、電磁誘導によりこの導電性の繊維には起電力が発生するものである。一方、回転ブラシの繊維と接触プレート、接触プレートと放電プレートは、それぞれ相互に電気的に連通しているので、回転ブラシの繊維の先端近傍に設けられた放電プレートに電界が生じ、放電が起こるのである。
【００１２】
この放電によって、回転ブラシの先端の繊維に付着していた微生物やダニは電撃で、その細胞膜が破壊される。また、放電によって生じたオゾンやラジカル酸素が微生物を殺菌するものである。
【００１３】
第３の発明は、第１または第２の発明の掃除機用吸い込みノズルを用いた掃除機とした。これにより、微生物が繁殖しない衛生的な状態に保たれた吸い込みノズルを用いた掃除機を実現でき、結果的に掃除機を衛生的な状態に保つことができるようになる。
【００１４】
以下、本発明の実施の形態について図面を参照しながら説明する。なお、本実施の形態によって本発明が限定されるものではない。
【００１５】
（実施の形態１）
図１は本発明の第１の実施の形態における電気掃除機の吸い込みノズルの上面透視図を示すものである。また図２は同じく吸い込みノズルの側面透視図を示すものである。
【００１６】
図1および図2において、吸い込みノズル１は図示していない電気掃除機本体とフレキシブルホース２によって連通しており、電気掃除機本体に内蔵された電動送風機の吸引力によって、吸い込み口３下方にある床面の塵埃（図示せず）を吸引する構成となっている。
【００１７】
吸い込みノズル１の内部には、中心軸より放射状に繊維が取り付けられた回転ブラシ４があり、モータ５の駆動がタイミングベルト６を介して回転ブラシ４に伝えられ、回転する。この回転ブラシ４の回転によって、吸い込み口３下方にある塵埃を、掻きだし、絨毯などの床面より脱離させて、塵埃が吸引され易くする。
【００１８】
この回転ブラシ４を構成する繊維は、ポリエステルを基材に銀を無電解メッキによって表層を銀コートされたものであり、これら繊維全体はお互いが接触していることによって電気的に繋がった状態である。
【００１９】
金属製の接触プレート７は回転ブラシ４の繊維の先端に接触している一方、複数の金属製の板からなる放電プレート９は接触せず、繊維の先端から約１ｍｍの距離で離れている。これらの接触プレート７と放電プレート９は図示していないリード線で電気的に繋がった構造である。
【００２０】
放電プレート９近傍に配置された複数の磁石８は回転ブラシ４の内部に入り込んだ形で並んでおり、その磁束は回転ブラシの回転方向を直行する形で通っている。
【００２１】
以上のように構成された電気掃除機の吸い込みノズルについて、以下その動作、作用を説明する。
【００２２】
まず、電気掃除機本体を駆動すると、電動送風機の吸引力により、吸い込みノズル１内が負圧になり、吸い込み口３下方にある塵埃を吸い取り、フレキシブルホース２内を通って電気掃除機本体へと運ばれていく。このとき、電気掃除機本体はモータ５への給電もおこない、モータ５は回転し、その回転駆動がタイミングベルト６を伝って回転ブラシ４を回転させる。本実施の形態では、その回転数は１分間に約３０００回転である。回転ブラシ4は、吸い込み口３下方にある床面を掃き、絨毯や溝などに入り込んでいる塵埃を掻きだす。
【００２３】
この回転ブラシ４は構成する繊維の表面に銀をメッキしているので、この表面に付着した微生物は不活性化してしまう。銀以外に銅や亜鉛をメッキしても効果的である。その他抗菌性のある金属は存在するが、人体への影響が少ないこの３種が最適である。
【００２４】
また、この回転ブラシ４は床面などに接触しているので、すこしずつ表面の銀が剥離して、その銀が吸い込まれた塵埃とともに、塵埃を収納する紙パック(図示せず)などに送り込まれる。その後、そこで貯まった塵埃は銀が微量含まれているので、腐敗することなく悪臭も発しない。
【００２５】
一方、回転ブラシ４は磁石８が形成する磁束を通過しながら回転するので、複数の磁石８の間を通過する回転ブラシ４の繊維の部分に起電力を生じる。この起電力によって、接触プレート７、放電プレート９、回転ブラシ４の三つの部材間で回路が形成されようとする。つまりは、回転ブラシ４の先端と放電プレート９の隙間に放電ポテンシャルが高まり、ついには放電が起こる。
【００２６】
この放電により、回転ブラシ４先端に付着していた微生物は電撃で、その細胞膜が破壊される。また、放電によって生じたオゾンやラジカル酸素も微生物を殺菌するので、その後、電気掃除機本体の紙パックなどに集められた塵埃は腐敗することなく、悪臭を発しないのである。
【産業上の利用可能性】
【００２７】
以上のように本発明にかかる掃除機用吸い込みノズルおよびこれを用いた掃除機は、床面からの塵埃除去性能の向上が可能になるので、布団、家具、建材、工業部品等の塵埃除去手段にも適用できる。
【図面の簡単な説明】
【００２８】
【図１】本発明の実施の形態１における電気掃除機の吸い込みノズルの上面透視図
【図２】同、吸い込みノズルの側面透視図
【符号の説明】
【００２９】
１  吸い込みノズル
２  フレキシブルホース
３  吸い込み口
４  回転ブラシ
５  モータ
６  タイミングベルト
７  接触プレート
８  磁石
９  放電プレート
【図１】
2005110966.tif 000003
【図２】
2005110966.tif 000004